(57)【要約】【課題】繊維製品に、環境変化等により香りの強度が変化する機能を付与できる繊維処理剤組成物を提供する。【解決手段】（ａ）ＣｌｏｇＰが１〜４の香料化合物、（ｂ）一般式（１）で表される特定の化合物、（ｃ）アミノ変性シリコーン化合物を含有し、（ａ）／（ｂ）質量比が１／１５〜１／１７０の範囲であり、且つ（ｂ）を１５質量％〜３０質量％含有する、繊維処理剤組成物。        Ｒ−Ｏ−［（ＥＯ）m／（ＰＯ）n］−Ｈ      （１）〔式中、Ｒは炭素数１０〜２４の炭化水素基であり、ｍ、ｎはそれぞれ平均付加モル数であり、３≦ｍ≦５０、０≦ｎ＜５０、３＜（ｍ＋ｎ）≦５５である。〕【選択図】なし【特許請求の範囲】
【請求項１】
下記（ａ）成分、（ｂ）成分及び（ｃ）成分を含有し、（ａ）成分と（ｂ）成分の質量比が（ａ）／（ｂ）で１／１５〜１／１７０の範囲であり、且つ（ｂ）成分を１５質量％〜３０質量％含有する、繊維処理剤組成物。
（ａ）成分：ＣｌｏｇＰが１〜４の香料化合物
（ｂ）成分：下記一般式（１）で表される化合物
Ｒ−Ｏ−［（ＥＯ）m／（ＰＯ）n］−Ｈ      （１）
〔式中、Ｒは直鎖又は分岐鎖の炭素数１０〜２４の飽和又は不飽和の炭化水素基であり、ｍ、ｎはそれぞれ平均付加モル数であり、３≦ｍ≦５０、０≦ｎ＜５０、３＜（ｍ＋ｎ）≦５５であり、付加形態はランダム付加及びブロック付加いずれでもよい。〕
（ｃ）成分：アミノ変性シリコーン化合物
【請求項２】
（ｂ）成分と（ｃ）成分の質量比が（ｃ）／（ｂ）で１／２〜１／３０の範囲である請求項１又は２記載の繊維処理剤組成物。
【発明の詳細な説明】
【技術分野】
【０００１】
本発明は繊維処理剤組成物に関する。
【背景技術】
【０００２】
近年、衣料等繊維製品の手入れや洗濯処理において、消費者は強い香り立ちや処理後長期にわたる香りの維持を求めている。従って柔軟剤に代表される繊維処理剤に関しても、処理時から香りを強く放出する、或いは、香りを維持する技術が検討されている。例えば、特許文献１には、特定構造の３級アミン他の特定の化合物を組み合わせる事により、洗濯時の柔軟処理、乾燥後の衣料の香りが向上する柔軟剤組成物が開示されている。又、特許文献２には、カチオン性高分子化合物、シリコーン化合物を用いて、良好な柔軟性と共に残香性を付与する繊維処理剤組成物が開示されている。
【特許文献１】特開平１１−８１１３４号公報
【特許文献２】特開２００７−１１９９６４号公報
【発明の開示】
【発明が解決しようとする課題】
【０００３】
しかしながら、これらの残香技術は、繊維処理剤による処理後に衣料等の繊維製品に如何に香りを残すかを課題としており、技術的には香料の吸着量を増加させる事によって処理直後の香りの強度を向上させる、或いは、長時間にわたって残香を感じるものである為に、衣料着用後に香りが必要とされる時に香りを放出させたり、香りの強弱を調整したりする事はできない。衣料等繊維製品の手入れや洗濯処理後に求められる香りは、リフレッシュされた衣料等繊維製品の心地よい香りと共に、その繊維製品の着用、使用時に長くその香りを楽しむ、或いは、発汗や体臭による臭いや生活空間での様々な臭いに対するマスキングや緩和効果を有する香りである。このような観点から、繊維処理剤の賦香技術として、充分なものは開示されていなかった。
【０００４】
本発明が解決しようとする課題は、繊維製品に、環境変化等により香りの強度が変化する機能を付与できる繊維処理剤組成物を提供することである。
【課題を解決するための手段】
【０００５】
本発明は、下記（ａ）成分、（ｂ）成分及び（ｃ）成分を含有し、（ａ）成分と（ｂ）成分の質量比が（ａ）／（ｂ）で１／１５〜１／１７０の範囲であり、且つ（ｂ）成分を１５質量％〜３０質量％含有する、繊維処理剤組成物に関する。
（ａ）成分：ＣｌｏｇＰが１〜４の香料化合物
（ｂ）成分：下記一般式（１）で表される化合物
Ｒ−Ｏ−［（ＥＯ）m／（ＰＯ）n］−Ｈ      （１）
〔式中、Ｒは直鎖又は分岐鎖の炭素数１０〜２４の飽和又は不飽和の炭化水素基であり、ｍ、ｎはそれぞれ平均付加モル数であり、３≦ｍ≦５０、０≦ｎ＜５０、３＜（ｍ＋ｎ）≦５５であり、付加形態はランダム付加及びブロック付加いずれでもよい。〕
（ｃ）成分：アミノ変性シリコーン化合物
【発明の効果】
【０００６】
本発明によれば、繊維製品に、環境変化等により香りの強度が変化する機能を付与できる繊維処理剤組成物が提供される。
【０００７】
本発明者らは、着用、使用時における衣料等繊維製品の環境変化に対して香料成分の揮発特性を制御する観点から鋭意検討した結果、特定の香料成分と特定構造の非イオン性界面活性剤とアミノ変性シリコーンを、特定の組成で含有する組成物で繊維製品を処理する事によって、処理後の香り立ちと共に、着用、使用時、長期にわたり香り立ちが良好となる事を見出した。香料化合物のうちｌｏｇＰが１〜４の化合物は、一般的には、揮発性が高く、衣料等繊維製品への吸着能も低く、残香性の高い繊維製品処理剤を得る事は難しい。本発明の繊維製品組成物は、特に従来、繊維製品に対して賦香が難しかった、ｌｏｇＰが１〜４の香料化合物に対して効果が顕著である。本発明は、繊維製品を処理して乾燥させると香気が放出し、さらに水に軽く濡れることによって香り立ちを増すことができる繊維処理剤組成物を提供するものである。即ち、着用後の発汗や水噴霧等により繊維製品へ湿り気を与える事により、発汗などによる悪臭や生活空間での悪臭をマスキングしたい時など、香りが必要な場面で高い香り放出性を発現することが出来る。
【発明を実施するための最良の形態】
【０００８】
＜（ａ）成分＞
本発明の繊維処理剤組成物は、（ａ）成分として、ｌｏｇＰが１〜４の香料化合物を含有する。
【０００９】
ここで、ｌｏｇＰとは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰの形で示すのが一般的である。
【００１０】
多くの化合物のｌｏｇＰ値が報告され、Daylight Chemical Information Systems, Inc. (Daylight CIS)などから入手しうるデータベースには多くの値が掲載されているので参照できる。実測のＬｏｇＰ値がない場合には、Daylight CISから入手できるプログラム“CLOGP"で計算すると最も便利である。このプログラムは、実測のｌｏｇＰ値がある場合にはそれと伴に、Hansch, Leoのフラグメントアプローチにより算出される“計算ｌｏｇＰ（ＣｌｏｇＰ）”の値を出力する。
【００１１】
フラグメントアプローチは化合物の化学構造に基づいており、原子の数及び化学結合のタイプを考慮している(cf. A. Leo, Comprehensive Medicinal Chemistry, Vol.4, C. Hansch, P.G. Sammens, J.B. Taylor and C.A. Ramsden, Eds., p.295, Pergamon Press, 1990)。このＣｌｏｇＰ値は現在最も汎用的で信頼できる推定値であるので、化合物の選択に際して実測のｌｏｇＰ値の代わりに用いることができる。本発明では、ｌｏｇＰの実測値があればそれを、無い場合はプログラムCLOGP v4.01により計算したＣｌｏｇＰ値を用いる。
【００１２】
ｌｏｇＰ（ＣｌｏｇＰ）が１〜４の香料化合物として、例えば下記の香料化合物が挙げられる。
COUMARIN、HELIOTROPINE 、PHENYL ETHYL ALCOHOL、VANILLIN (L)、CINNAMIC ALCOHOL (SYNTH)、ANIS ALDEHYDE、CINNAMIC ALDEHYDE、BENZYL ACETATE、l-CARVONE、METHYL ANTHRANILATE、METHYL BENZOATE、BENZOPHENONE、EUGENOL、LIGUSTRAL、BENZYL PROPIONATE、ALLYL AMYL GLYCOLATE、LINALOOL、iso-EUGENOL (limited use)、BORNEOL、a-TERPINEOL、ETHYL BENZOATE、iso-PULEGOL、4-TERPINEOL、1,8-CINEOL (EUCALYPTOL)、GERANIOL、NEROL、METHYL ISOEUGENOL、BENZYL n-BUTYRATE、CITRAL、ESTRAGOL、l-MENTHOL、CITRONELLOL、CITRONELLAL、ANETHOLE、CARVACROL、THYMOL、CYCLAMEN ALDEHYDE、TETRAHYDROLINALOOL、IONONEBETA、ALDEHYDE C-14 PEACH(GANMA-UNDECALACTONE)、LILIAL、BENZYL BENZOATE、ISO-BUTYL SALICYLATE
【００１３】
＜（ｂ）成分＞
（ｂ）成分は、下記一般式（１）で表される化合物である。
Ｒ−Ｏ−［（ＥＯ）m／（ＰＯ）n］−Ｈ      （１）
〔式中、Ｒは直鎖又は分岐鎖の炭素数１０〜２４の飽和又は不飽和の炭化水素基であり、ｍ、ｎはそれぞれ平均付加モル数であり、３≦ｍ≦５０、０≦ｎ＜５０、３＜（ｍ＋ｎ）≦５５であり、付加形態はランダム付加及びブロック付加いずれでもよい。〕
【００１４】
一般式（１）中のＲは直鎖又は分岐鎖の炭素数１０〜２４の炭化水素基（なかでもアルキル基又はアルケニル基）が好ましい。更に、直鎖の炭素数１２〜１８の炭化水素基（なかでもアルキル基又はアルケニル基）が好ましい。ｍ、ｎはそれぞれ平均付加モル数であり、ｍは３以上５０以下であり、１３以上５０以下が好ましく、ｎは０以上５０以下であり、０以上３０以下が好ましい。又、ｍとｎの合計（ｍ＋ｎ）は、３超５５以下であり、好ましく１０以上５５以下、更に好ましくは１２以上５０以下、特に好ましくは、２０以上５０以下である。
【００１５】
（ｂ）成分として好ましい具体的な化合物としては、下記（１）’が挙げられる。
Ｒ’−Ｏ−［（ＥＯ）m1／（ＰＯ）n1］−Ｈ      （１）’
〔式中、Ｒ’は直鎖又は分岐鎖の炭素数１２〜１８の飽和又は不飽和の炭化水素基（好ましくはアルキル基又はアルケニル基）であり、ｍ１、ｎ１はそれぞれ平均付加モル数であり、２０≦ｍ１≦５０、ｎ１は０≦ｎ１≦９、２０≦（ｍ１＋ｎ１）≦５０であり、付加形態はランダム付加及びブロック付加いずれでもよい。〕
【００１６】
＜（ｃ）成分＞
（ｃ）成分のアミノ変性シリコーンとしては、２５℃での動粘度が１００〜２００００ｍｍ2／ｓ、アミノ当量が４００〜８０００であるものが好ましい。２５℃での動粘度はＢ型粘度計で求めることができ、性能の点から１００ｍｍ2／ｓ以上が好ましく、性能及び安定性の点から２００００ｍｍ2／ｓ以下が好ましく、より好ましくは２００〜１００００ｍｍ2／ｓ、特に好ましくは５００〜５０００ｍｍ2／ｓである。また、アミノ当量は、性能の点から好ましくは４００〜８０００、より好ましくは６００〜５０００、特に好ましくは８００〜４０００である。
【００１７】
アミノ変性シリコーンの具体例として、一般式（２）で表される化合物が挙げられる。
【００１８】
【化１】
2009209477.tif 000002
【００１９】
〔式中、Ｒ2aは炭素数１〜３のアルキル基、ヒドロキシ基、炭素数１〜３のアルコキシ基又は水素原子から選ばれる基を示し、Ｒ2bは炭素数１〜３のアルキル基、ヒドロキシ基又は水素原子から選ばれる基を示し、Ｂは少なくとも一つのアミノ基を有する側鎖を示し、Ｒ2cは炭素数１〜３のアルキル基又は水素原子を示す。ｃ及びｄはそれぞれ平均重合度を示し、該化合物の２５℃の動粘度及びアミノ当量が上記範囲になるように選ばれる。尚、Ｒ2a、Ｒ2b、Ｒ2cはそれぞれ同一でも異なっていても良く、また複数個のＲ2bは同一でも異なっていても良い。〕
【００２０】
一般式（２）の化合物において、Ｒ2aはメチル基又はヒドロキシ基が好ましく、Ｒ2bはメチル基又はヒドロキシ基が好ましく、Ｒ2cはメチル基又は水素原子が好ましい。ｃは１０〜１０，０００の数が好ましく、２０〜３，０００の数が更に好ましい。ｄは１〜１，０００の数が好ましく、１〜１００の数が更に好ましい。一般式（２）の化合物の重量平均分子量は、好ましくは２，０００〜１，０００，０００、より好ましくは５，０００〜１００，０００、特に好ましくは８，０００〜５０，０００である。
【００２１】
一般式（２）において、アミノ基を有する側鎖Ｂとしては、下記のものを挙げることができる。
−Ｃ3Ｈ6−ＮＨ2
−Ｃ3Ｈ6−ＮＨ−Ｃ2Ｈ4−ＮＨ2
−Ｃ3Ｈ6−ＮＨ−[Ｃ2Ｈ4−ＮＨ]e−Ｃ2Ｈ4−ＮＨ2
−Ｃ3Ｈ6−ＮＨ(ＣＨ3)
−Ｃ3Ｈ6−ＮＨ−Ｃ2Ｈ4−ＮＨ(ＣＨ3)
−Ｃ3Ｈ6−ＮＨ−[Ｃ2Ｈ4−ＮＨ]f−Ｃ2Ｈ4−ＮＨ(ＣＨ3)
−Ｃ3Ｈ6−Ｎ(ＣＨ3)2
−Ｃ3Ｈ6−Ｎ(ＣＨ3)−Ｃ2Ｈ4−Ｎ(ＣＨ3)2
−Ｃ3Ｈ6−Ｎ(ＣＨ3)−[Ｃ2Ｈ4−Ｎ(ＣＨ3)]g−Ｃ2Ｈ4−Ｎ(ＣＨ3)2
−Ｃ3Ｈ6−ＮＨ−cyclo−Ｃ5Ｈ11
ここで、ｅ、ｆ、ｇはそれぞれ１〜３０の数である。
【００２２】
アミノ変性シリコーンは、例えば、一般式（３）で表されるオルガノアルコキシシランを過剰の水で加水分解して得られた加水分解物と、ジメチルシクロポリシロキサンとを水酸化ナトリウムのような塩基性触媒を用いて、８０〜１１０℃に加熱して平衡反応させ、反応混合物が所望の粘度に達した時点で酸を用いて塩基性触媒を中和することにより製造することができる。（特開昭５３−９８４９９号参照）
Ｈ2Ｎ(ＣＨ2)2ＮＨ(ＣＨ2)3Ｓｉ(ＣＨ3)(ＯＣＨ3)2    （３）
【００２３】
本発明で用いることができる（ｃ）成分としては、東レ・ダウコーニング・シリコーン（株）製のＳＦ８４５１Ｃ（粘度６００ｍｍ2／ｓ（２５℃）、アミノ当量１７００）、ＳＦ８４５２Ｃ（粘度７００ｍｍ2／ｓ（２５℃）、アミノ当量６４００）、ＳＦ８４５７Ｃ（粘度１２００ｍｍ2／ｓ（２５℃）、アミノ当量１８００）、ＳＦ８４１７（粘度１２００ｍｍ2／ｓ（２５℃）、アミノ当量１８００）、ＢＹ１６−８４９（粘度１３００ｍｍ2／ｓ（２５℃）、アミノ当量６００）、ＢＹ１６−８５０（粘度１１００ｍｍ2／ｓ（２５℃）、アミノ当量１１００）、ＢＹ１６−８９２（粘度１１００ｍｍ2／ｓ（２５℃）、アミノ当量２０００）、ＢＹ１６−８９７（粘度９００ｍｍ2／ｓ（２５℃）、アミノ当量２９００）、ＢＹ１６−８９８（粘度１３００ｍｍ2／ｓ（２５℃）、アミノ当量２９００）、信越化学工業（株）製のＫＦ８５７、ＫＦ８５８、ＫＦ８５９、ＫＦ８６２、ＫＦ８００１、ＫＦ８８０、ＫＦ−８６４（粘度１７００ｍｍ2／ｓ（２５℃）、アミノ当量３８００）等を挙げることができる。
【００２４】
また、アミノ変性シリコーンとしては、着色及び風合いの観点から、アミノ基を有する側鎖Ｂが−Ｃ3Ｈ6−ＮＨ2で表される化合物〔以下、（ｃ１）成分という〕が好適である。（ｃ１）成分としては、信越化学工業（株）製のＫＦ−８６４（粘度１７００ｍｍ2／ｓ（２５℃）、アミノ当量３８００）、東レ・ダウコーニング・シリコーン（株）製のＢＹ１６−８９７（粘度９００ｍｍ2／ｓ（２５℃）、アミノ当量２９００）、ＢＹ１６−８９８（粘度１３００ｍｍ2／ｓ（２５℃）、アミノ当量２９００）を挙げることができる。
【００２５】
上記以外にも、アミノ変性シリコーンとして、特開２００１−４９５８２、特開２００１−１９２９７３、特開２００２−３７１４７４、特開平８−３２５９５２、特開平１０−１３１０５４等の公報に記載のアミノ変性シリコーンを用いることができる。
【００２６】
本発明において、アミノ変性シリコーンについての粘度は、Ｂ型粘度計で、２５℃の条件下で測定したものである。また、アミノ当量は、窒素原子１つ当たりの分子量であり、アミノ当量＝分子量／窒素原子数で求められる。分子量はゲルパーミエーションクロマトグラフィーでポリスチレンを標準として求めた値であり、窒素原子数は元素分析法により求めることができる。
【００２７】
＜繊維処理剤組成物＞
本発明の繊維処理剤組成物は、（ａ）成分、（ｂ）成分及び（ｃ）成分を含有しており、（ｂ）成分の含有量は、１５〜３０質量％であり、好ましくは１７〜３０質量％である。又、（ａ）成分と（ｂ）成分の質量比は、（ａ）成分の質量／（ｂ）成分の質量が１／１５〜１／１７０であり、好ましくは１／２０〜１／１７０、より好ましくは１／３０〜１／１７０、更に好ましくは、１／５０〜１／１７０である。（ｂ）成分と（ｃ）成分の質量比は、（ｃ）成分の質量／（ｂ）成分の質量が好ましくは１／２〜１／３０であり、より好ましくは１／２．５〜１／２５、更に好ましくは１／３〜１／２０、更に好ましくは１／３〜１／１５、特に好ましくは１／３〜１／１０である。
【００２８】
本発明の繊維処理剤組成物の使用方法としては、例えば、本発明の（ａ）成分と（ｂ）成分と（ｃ）成分とを含む繊維処理剤組成物を用いて調製した処理浴に繊維製品を浸漬処理する方法（例えば、洗濯時の濯ぎ液中に本発明の繊維処理剤組成物を添加した処理浴で処理する方法）、または、水性媒体を用いて希釈した処理液を繊維製品にスプレー処理する方法、もしくは水性媒体を用いて希釈した処理液を直接繊維製品に塗布処理する方法が挙げられる。本発明の繊維処理剤は、こうした処理方法が採用できる種々の処理剤、例えば、柔軟剤、糊剤等に応用できる。
【００２９】
本発明の繊維製品処理剤組成物で処理された繊維製品は、乾燥後、水分の変動に伴い、より強い香りを放出する。具体的には、当該乾燥後の繊維製品中の水分量の増加あるいは当該繊維製品の周囲湿度の増加により、より強い香りを放出する。例えば、本発明の繊維製品処理剤組成物で処理後の繊維製品は、水分量が８．５質量％以下に乾燥して仕上げられることが好ましい。この乾燥した繊維製品について、着用時に汗を繊維製品が吸収する、意識的に霧吹き等で当該繊維製品に水分を噴霧する、又は、その他の方法で繊維製品に水分を与える事で、当該繊維製品の水分量が増加する。当該繊維製品中の水分量は、乾燥後の水分量に対して、０．５〜１０質量％増加することが好ましい。その結果、より香りが増強する。更に、本発明の繊維製品処理剤組成物で処理した繊維製品は、一度水分を吸った後に乾燥させ、再度水分を与えた場合、再度香りが増強され、長期の着用にも香りが維持される。このような効果は、乾燥後の繊維製品を、周囲湿度が増加する条件で使用することでももたらされる。一般的に、繊維中の水分率は、環境の湿度によって変化し、相対湿度が高くなるにつれて上昇する。周辺湿度が増加する条件とは、発汗等による着衣類近傍の湿度の上昇、天候による相対湿度の上昇、加湿器等を用いた部屋内相対湿度の上昇（調整）などが挙げられる。
【００３０】
本発明でもたらされる水分と連動した香り発現効果は、本発明の繊維製品処理剤組成物中のアミノ変性シリコーン（（ｃ）成分）の分散に対し、非イオン性界面活性剤（（ｂ）成分）が安定化する時に特定の香料（（ａ）成分）が合わせて存在し、繊維製品を処理した時、繊維製品上にアミノ変性シリコーン／香料／非イオン性界面活性剤が一緒に吸着、乾燥される。その後、繊維製品が水分を含んだ時、特定構造の非イオン性界面活性剤によりアミノ変性シリコーン／香料／非イオン性界面活性剤の構造がゆるむ等により香料の移動が起こり、繊維製品表面から揮散する事によって香りの強度が増加するものと考えている。
【００３１】
本発明の繊維製品処理剤組成物のより具体的な使用形態として以下に応用組成物を示すが、本発明の繊維製品処理剤組成物は、これらの組成物及びこれらの用途のみに限定されるものではない。
【００３２】
［柔軟剤組成物］
本発明の繊維製品処理剤組成物は、具体的な使用形態として、柔軟剤組成物として用いることが出来る。本発明の（ａ）成分と（ｂ）成分と（ｃ）成分、及び柔軟基剤を含有する柔軟剤組成物が（ａ）成分を効率よく繊維に吸着させる組成物として好ましく、かつ、繊維を柔らかく仕上げることができる。
【００３３】
柔軟剤組成物中の（ａ）成分の含有量は、０．１〜２．０質量％が好ましく０．１〜１．０質量％がより好ましく、０．１〜０．５質量％が更に好ましい。また、（ｂ）成分の含有量は、１５〜３０質量％が好ましく、１５〜２５質量％がより好ましく、１５〜２０質量％が更に好ましい。また、（ｃ）成分の含有量は、１〜１５質量％が好ましく、１〜１０質量％がより好ましく、１〜８質量％が更に好ましい。本発明の柔軟剤組成物は、本発明の（ａ）成分、（ｂ）成分、（ｃ）成分以外に、柔軟基剤、繊維潤滑剤、抗菌剤等を含有することができる。
【００３４】
本発明に用いられる柔軟基剤としては、下記式（４）〜（８）で表される化合物が挙げられる。（ｂ）成分による（ａ）成分の吸着促進効果が大きい化合物として、特に（４）、及び（５）から選ばれる化合物を用いることが好ましい。
【００３５】
【化２】
2009209477.tif 000003
【００３６】
〔式（４）〜（８）中、Ｒ5及びＲ6はそれぞれ炭素数１１〜２３の直鎖又は分岐鎖の飽和又は不飽和炭化水素基、Ａ、Ｂは、それぞれ−ＣＯ−Ｏ−、−Ｏ−ＣＯ−、−ＮＲ7−ＣＯ−、又は−ＣＯ−ＮＲ7を示す。Ｒ7は水素原子又は炭素数１〜３の炭化水素基を示す。ｐ、ｐ’はそれぞれ２又は３、Ｒ8、Ｒ9、Ｒ13及びＲ14はそれぞれ炭素数１０〜２４のアルキル基、アルケニル基又はβ−ヒドロキシアルキル基であり、Ｒ10，Ｒ11及びＲ12はそれぞれ炭素数１〜３のアルキル基もしくはヒドロキシアルキル基、ベンジル基又は−（Ｃ2Ｈ4Ｏ）t−Ｈ（但し、ｔは１〜３である）を示し、Ｘ-はハロゲンイオン、炭素数１〜３のアルキル基を有するモノアルキル硫酸イオン等の陰イオン基を示す。〕
【００３７】
本発明の柔軟剤組成物中の柔軟基剤の含有量は、特に限定されないが、３〜５０質量％が好ましく、５〜４０質量％が更に好ましい。
【００３８】
本発明の柔軟剤組成物に使用できる繊維潤滑剤としては、ポリエーテル変性シリコーン、アルキル・ポリエーテル変性シリコーン、カルボキシル変性シリコーン、アルキル変性シリコーン、メタクリル変性シリコーン等が挙げられる。
【００３９】
本発明の柔軟剤組成物中の繊維潤滑剤の含有量は、特に限定されないが、１〜１０質量％が好ましく、１〜８質量％が更に好ましい。
【００４０】
本発明の柔軟剤組成物には、抗菌剤として、下記式（９）〜（１０）で表される化合物を配合できる。
【００４１】
【化３】
2009209477.tif 000004
【００４２】
〔式（９）〜（１０）中、Ｒ15及びＲ20はそれぞれ炭素数５〜１９の直鎖又は分岐鎖のアルキル基又はアルケニル基、Ｒ17及びＲ18はそれぞれ炭素数１〜３のアルキル基又はヒドロキシアルキル基、Ｔは−ＣＯＯ−、−ＯＣＯ−、−ＣＯＮＨ−、−ＮＨＣＯ−又はフェニレン基、Ｒ16は炭素数１〜６のアルキレン基又は−（ＯＲ21）r−（ここで、Ｒ21は炭素数２〜３のアルキレン基、ｒは１〜１０の数）、Ｒ19は炭素数１〜３のアルキレン基、ｑは０又は１、Ｚ-はハロゲンイオン、炭素数１〜３のアルキル基を有するモノアルキル硫酸イオン等の陰イオン基を示す。〕
【００４３】
本発明の柔軟剤組成物中の抗菌剤の含有量は、特に限定されないが、０．００１〜１０質量％が好ましく、０．００１〜３．０質量％が更に好ましい。
【００４４】
本発明の繊維処理剤組成物を柔軟剤組成物に応用する場合は、（ａ）成分を処理液に対して、０．０５〜１０ｍｇ／Ｌ、更に、０．０８〜２ｍｇ／Ｌになる様に調製し、通常の柔軟剤組成物（例えば家庭用柔軟剤組成物）と同様に繊維製品を処理するのが好ましい。
【００４５】
［糊剤組成物］
本発明の繊維製品処理剤組成物は、具体的な使用形態として、糊剤組成物として用いることが出来る。本発明の糊剤組成物は、必須成分として、本発明の（ａ）成分と（ｂ）成分と（ｃ）成分とを含有する。糊剤組成物中の（ａ）成分の含有量は、０．１〜２．０質量％が好ましく０．１〜１．０質量％がより好ましく、０．１〜０．５質量％が更に好ましい。また、（ｂ）成分の含有量は、１５〜３０質量％が好ましく、１５〜２５質量％がより好ましく、１５〜２０質量％が更に好ましい。また、（ｃ）成分の含有量は、１〜１５質量％が好ましく、１〜１０質量％がより好ましく、１〜８質量％が更に好ましい。
【００４６】
本発明の糊剤組成物は、本発明の（ａ）成分、（ｂ）成分、（ｃ）成分以外に、糊料基剤を含有する。糊料基剤としては、低級脂肪酸ビニルエステルと、不飽和カルボン酸類を必須モノマー成分とするビニル重合体（ｉ）、低級脂肪酸ビニルエステルとカチオン性不飽和単量体を必須モノマー成分とするビニル重合体（ii）等が挙げられる。
【００４７】
低級脂肪酸ビニルエステルとしては、酢酸ビニル、酪酸ビニル、プロピオン酸ビニル等が挙げられ、これらの１種又は２種以上を組み合わせて用いることができるが、酢酸ビニルが好ましい。
【００４８】
不飽和カルボン酸類としては、アクリル酸、メタクリル酸、クロトン酸、マレイン酸、フマル酸、イタコン酸、アコニチン酸、ソルビン酸、ケイ皮酸、α−クロロソルビン酸、シトラコン酸、ｐ−ビニル安息香酸等の不飽和カルボン酸；イタコン酸、マレイン酸、フマル酸等の不飽和ポリカルボン酸のアルキルエステル、部分エステル（好ましくは炭素数１〜６の低級アルキルモノエステル）又は部分アミドが挙げられる。これらのうちアクリル酸、メタクリル酸、クロトン酸、イタコン酸モノメチル、イタコン酸モノブチル、フマル酸モノメチル、フマル酸モノブチル、マレイン酸モノブチル等が特に好ましい。
【００４９】
カチオン性不飽和単量体としては、一般式（１１）〜（１７）で表されるものが挙げられる。
【００５０】
【化４】
2009209477.tif 000005
【００５１】
〔式（１１）〜（１７）中、Ｒ22は水素原子又は炭素数１〜３のアルキル基（好ましくはメチル基）、Ｒ23，Ｒ24及びＲ25はそれぞれ水素原子又は炭素数１〜４のアルキル基、Ｒ26，Ｒ27及びＲ28はそれぞれ水素原子又は炭素数１〜３（好ましくは１〜２）のアルキル基、Ｒ29，Ｒ30及びＲ31はそれぞれ炭素数１〜３のアルキル基（好ましくはメチル基）、ｓは１〜１０の数、Ｘ-は前記の意味を示す。〕
【００５２】
本発明の糊剤組成物中の糊料基剤の含有量は、特に限定されないが、２０〜６０質量％が好ましく、３０〜５０質量％が更に好ましい。
【００５３】
本発明の繊維処理剤組成物を糊剤組成物に応用する場合は、通常の糊剤組成物（例えば家庭用糊剤組成物）と同様に繊維製品を処理するのが好ましい。例えば、すすぎ工程で用いる場合は（ａ）成分濃度が０．０５〜１０ｍｇ／Ｌ、更に、０．０８〜２ｍｇ／Ｌになる様に調製した処理液（すすぎ液）を用いることができる。また、繊維製品にスプレー処理、又は塗布処理する場合は（ａ）成分が繊維製品に対して、０．０００８〜０．０１ｍｇ／ｃｍ2、更に、０．００１〜０．００５ｍｇ／ｃｍ2の範囲となる量で用いることができる。
【実施例】
【００５４】
下記成分を用い、下記方法で表１に示す組成の繊維処理剤組成物を調製した。なお、表１には、本発明の（ａ）成分、（ｂ）成分、（ｃ）成分に該当しない成分も、便宜的にそれぞれの欄に表示した。また、（ａ）／（ｂ）質量比もそれらの成分に基づいて算出した。なお、表１中の（ａ）／（ｂ）質量比は、用いた（ａ）成分の有効分に換算して計算した。
【００５５】
＜配合成分＞
・ａ−１：ＣｌｏｇＰが１〜４の香料化合物を６０質量％含有する香料組成物
・ａ−２：ＣｌｏｇＰ１．１８３の香料化合物（単品）
・ａ−３：ＣｌｏｇＰ３．５１７の香料化合物（単品）
・ｂ−１：炭素数１２〜１４の２級アルコールにエチレンオキサイドを平均３モル付加させた非イオン性界面活性剤
・ｂ−２：炭素数１２〜１４の直鎖第１級アルコールにエチレンオキサイドを平均５モル、プロピレンオキサイドを平均２モル、エチレンオキサイドを平均３モルの順に付加させた非イオン性界面活性剤
・ｂ−３：ラウリルアルコール１モルあたりＥＯを平均１３．２モル付加させた非イオン性界面活性剤
・ｂ−４：ステアリルアルコール１モルあたりＥＯを平均５０モル付加させた非イオン性界面活性剤
・ｂ−５：ステアリルアルコール１モルあたりＰＯを平均３８モル、ＥＯを平均６モルの順に付加させた非イオン性界面活性剤
・ｂ−６：ステアリルアルコール１モルあたりＰＯを平均９モル、ＥＯを平均２０モルの順に付加させた非イオン性界面活性剤
・ｂ’−７：ステアリルアルコール１モルあたりＥＯを平均１４０モル付加させた非イオン性界面活性剤
・ｂ’−８：ステアリルアルコール１モルあたりＰＯを平均４０モル、ＥＯを平均４０モルの順に付加させた非イオン性界面活性剤
・ｃ−１：ＫＦ−８６４（信越化学工業（株）製アミノ変性シリコーン、粘度１７００ｍｍ2／ｓ（２５℃）、アミノ当量３８００）
・ｃ’−２：ＳＨ２００−３０００ｃｓ（東レ・ダウコーニング・シリコーン社製ジメチコン、粘度３０００ｍｍ2／ｓ）
・ｄ−１：ポリオキシエチレンフェニルエーテル（ＥＯ平均付加モル数：３）
・ｅ−１：炭素数１２〜１４のジアルキルジメチルアンモニウムクロライド
・ｆ−１：塩酸（ＨＣｌ有効分３５％）
【００５６】
＜繊維処理剤組成物の調製方法＞
表１に示す各成分を用いて、表１に示す組成の繊維処理剤組成物を各１００ｇ調製した。その際、混合容器としてポリプロピレン製のプラスチックカップ（容量２００ｍｌ）、混合方法としてはマグネチックスターラーを用いた。まず、ｂ−１成分、ｂ−２成分、ｄ−１成分と繊維処理剤組成物全体の１２質量％に相当する水を容器に秤量し混合した後、融点以上に加熱したｂ−３又はｂ−４又はｂ−５又はｂ−６又はｂ−７又はｂ−８成分を加え更に混合した。約１０分間混合後、ｅ−１成分を加え、これに配合水の残部を加え、混合を続けながら（ｃ）成分を所定量投入し、投入完了後約３０分混合した。さらに、混合を続けながら（ａ）成分を加え、更にｆ−１成分で所定のｐＨに調整し、各繊維処理剤組成物を得た。
【００５７】
＜評価方法＞
上記で得られた繊維処理剤組成物を用いて、下記の評価を行った。
・評価用タオルの前処理
市販タオル（綿１００％）４４枚を市販洗剤（花王（株）ニュービーズ）を用いて全自動洗濯機（ＨＩＴＡＣＨＩ  ＮＷ−７ＦＹ）で５回繰り返し洗濯した（洗剤濃度０．０８３３質量％、水量５９Ｌ、洗い９分−濯ぎ２回−脱水６分）。洗濯後、タオルを２２枚づつ二層式洗濯機（ＨＩＴＡＣＨＩ  ＰＳ−Ｈ３５Ｌ）で流水濯ぎ行い、１時間経過した時点で流水を止め、排水後５分間脱水した。脱水後、恒温室（２３℃４０％）にて１２時間吊り干し乾燥させた。乾燥後、２０℃水道水４Ｌをバケツ型洗濯機（Ｎａｔｉｏｎａｌ  Ｎ−ＢＫ２）に注水し、表１の繊維処理剤組成物を２．６ｇ投入し、１５秒撹拌する。撹拌後、上記処理したタオル２枚を投入し、５分間撹拌処理した。撹拌後、二層式洗濯機（ＨＩＴＡＣＨＩ  ＰＳ−Ｈ３５Ｌ）で３分脱水し、恒温室（２３℃４０％）にて１２時間吊り干し乾燥させた。
【００５８】
＜評価１＞
同浴で処理したタオル２枚の内１枚にイオン交換水を市販品スプレー（吐出量０．６ｇ、蓄圧式）を用いて１％ｏｗｆスプレーすることで、乾燥時と湿潤時でどちらの香りが強いか判定した。５人のパネラーを用いて評価を行い、乾燥時より香りが強ければ１点、同等なら０点、香りが弱ければ−１点とした。５人の合計点を表１に示すが、合計点により以下のように判断される。
５〜４：乾燥時より非常に香りが強い
２〜３：乾燥時よりやや香りが強い
−１〜１：ほぼ同等
−３〜−２：乾燥時よりやや香りが弱い
−５〜−４：乾燥時より非常に香りが弱い
【００５９】
＜評価２＞
同浴で処理したタオル２枚の内１枚にイオン交換水を市販品スプレー（吐出量０．６ｇ  蓄圧式）を用いて１％ｏｗｆスプレーすることで、乾燥時と湿潤時のタオル２枚を作成した。比較品１で処理したタオルの乾燥時と湿潤時を嗅ぎ比べ、その香りの変化量を確認する。また、他の繊維処理剤組成物で処理したタオルにも上記と同様の処理を行い、乾燥時と湿潤時を嗅ぎ比べ、その香りの変化量を確認し、比較品１（ブランク）の香りの変化量と対比した。５人のパネラーにより評価を行い、比較品Ｉの場合より香りの変化量が大きければ１点、同等なら０点、香りの変化量が小さければ−１点とした。５人の合計点を表１に示す。
【００６０】
＜評価３＞
表１の実施例の組成物で処理したタオルと比較例の組成物で処理したタオルを、表２の組み合わせで選定し、乾燥時と湿潤時で嗅ぎ比べ、どちらの香りが強いか評価した。タオルを湿潤させる時は、イオン交換水を市販品スプレー（吐出量０．６ｇ  蓄圧式）を用いて１％ｏｗｆスプレーすることで作成した。５人のパネラーにより評価を行い、香りが強いと評価した人数をカウントした。評価結果（回答者数）を表２に示す。
【００６１】
【表１】
2009209477.tif 000006
【００６２】
【表２】
2009209477.tif 000007
【００６３】
上記の結果から、本発明の処理剤組成物により処理された繊維製品（タオル）は、乾燥時よりも湿潤時の方がより強い香りを放出することがわかる。表２の結果から、乾燥時の香りだちは、実施例と比較例で同等ないし比較例の方が強い傾向を示すが、湿潤状態になると実施例の方が強い香り立ちとなる。こうした水分量の変化に伴ってより強い香りを放出するという挙動は、単に繊維製品を賦香するだけの従来の処理では得られない効果を奏するものである。